(57)【要約】到達不能な移動電話機に向けられた電話呼を処理し、かつそれらに関するデータを処理するための方法を開示する。本方法では、（Ｉ）移動電話呼利用者がデタッチモードであるか一時的に無線周波数信号により到達可能な範囲外にいるために到達不能であるときに、異なる番号または応答サービスへの呼迂回サービスが使用可能でない場合に、電話呼が電話呼データ管理および格納装置に経路指定され、（ＩＩ）移動電話機が再び到達可能になったときに、電話呼の加入者番号に通知が送信される。前記通知はＳＭＳの形で行われ、移動電話機が到達不能であった期間中に実行され失敗に終わった電話呼の電話呼データを含む。この種のサービスに関係する特殊装置の動作も開示する。【選択図】図２
2004517536.tif 000002
【特許請求の範囲】
【請求項１】
到達不能な無線移動電話機への電話呼を処理し、かつ発信加入者の電話番号、電話呼の時刻、および何らかの追加情報のようなそれらに関するデータを処理するための方法において、それは音声呼などの事象によって開始され、それは次に記録可能なＳＭＳテキストチャネルを通して通知を生じさせ、前記方法は次の２つの別のステップすなわち
Ｉ）加入者の移動電話機がデタッチモードであるため、または無線周波数信号の不在のために、被呼加入者が到達不能であるとき、かつ同時に応答サービスまたは別の電話番号への呼迂回サービスが作動しないときに、電話呼に関するデータの格納および管理のための装置に電話呼を経路指定するステップと、
ＩＩ）前記移動電話機が再び到達可能になった瞬間に、前記加入者が到達不能であった期間中に失敗に終わった呼に関するデータを含む全てのＳＭＳテキストを前記被呼加入者に送信すなわち通知するステップと、を含み、前記方法は、移動電話回線の呼を実行するための通常のステップシーケンスが最初に開始され、その後信号処理および加入者識別の獲得後ただちに中断され、前記無線移動電話機が再び到達可能であることが確認された時点でこのステップシーケンスが再開されるが、今回はＳＭＳテキストチャネルを起動させて、音声通信プロトコルに典型的な実際の逐次作動ステップシーケンス（トランザクション）を完全に排除し、それによって事実上、仮想性を有するトラヒックを生成するように構成されたプロトコルに基づくことを特徴とする方法。
【請求項２】
到達不能な無線移動電話機に向けられた電話呼を処理し、かつそれらに関するデータを処理するための請求項１に記載の方法において、前記データが次の方法ステップすなわち
Ａ）発呼加入者（１’、１’’）が宛先または「目標」番号をダイヤルし（３０）、彼の電話呼を実行するステップと、
Ｂ）発信交換局ＭＳＣ（２）が加入者レジスタＨＬＲ（３）に問合せを行い、ローミング宛先番号を尋ねるステップと、
Ｃ）アドレス指定された移動電話機がデタッチモードであるかどうかを、ＨＬＲ（３）が検査する（３４）ステップと、
Ｃｉ）答えが「いいえ」である場合、宛先局に関連する宛先番号が記録された局ＭＳＣ／ＶＬＲのローミング番号を発信交換局ＭＳＣ（２）に送信し（３５）、前記方法がステップＤおよびその後のステップに記載するように続くようにしたステップと、
Ｃｉｉ）答えが「はい」である場合、前記宛先番号がそれ自体の応答サービスまたは別の電話番号への呼迂回サービスを起動したかどうかを検査（３６）するステップと、
ａ）答えが「はい」である場合、呼迂回がそれに向かって活動する番号が発信ＭＳＣ局（２）に返され（３７）、上記ステップＢを繰り返すことによって前記方法が進むようにしたステップと、
ｂ）答えが「いいえ」である場合、電話呼の格納および管理のための装置（９）の番号が発信局ＭＳＣ（２）に返され（３８）、前記方法がステップＥに進むステップと、
Ｄ）移動電話機のデタッチモードに関する予備検査が否定的結果を導いた場合、宛先移動電話機が到達可能であるかどうかを確定するために、宛先局がテスト（４０）をも実行するステップと、
ｉ）答えが「はい」である場合、無線移動電話機システムに規定された通常の手順に従って、宛先番号への電話呼を行う（４１）ステップと、
ｉｉ）他方、移動電話機が到達不能である場合、電話呼の格納および管理のための装置（９）の番号との接続が確立され（３８）、次いで前記方法が次の動作ステップのシーケンスに従って進むようにしたステップと、
Ｅ）宛先移動電話機がデタッチモードであるか到達不能であり、かつ呼迂回が活動していない場合には、発呼利用者が通知を受け取り、電話呼が電話呼の格納および管理のための装置（９）に経路指定されるステップと、に従って獲得されることを特徴とする方法。
【請求項３】
到達不能な無線移動電話機に向けられた電話呼を処理し、かつそれらに関するデータを処理するための請求項１および２に記載の方法において、ＧＳＭ移動電話網の場合に宛先移動電話機が外国でローミングしているかどうかを決定するために、ＶＬＲ番号に基づいて、ＨＬＲ（３）に対し予備検査（３２）が実行され、
ｉ）肯定的な答えの場合、電話呼がＧＳＭ網に規定された通常の手順（３３）に従って管理され、
ｉｉ）そうでない場合、デタッチモードを決定するための手順（３４）が順守され、その後、この方法によって提供される他のステップが実行される、ことを特徴とする方法。
【請求項４】
到達不能な無線移動電話機に向けられた電話呼を処理し、かつそれらに関するデータを処理するための請求項１および２に記載の方法において、架空の呼迂回によってアドレス指定される加入者の仮想化を通して、電話呼の格納および管理を実行するシステム（９）に少なくとも向けて処理負荷を自動的に送信するのに適した手順をＨＬＲ（３）およびトランスポート網で実現することを含むことを特徴とする方法。
【請求項５】
到達不能な無線移動電話機に向けられた電話呼を処理し、かつそれらに関するデータを処理するための請求項１および４に記載の方法において、電話呼の格納および管理のための装置（９）に電話呼をリダイレクトするために２系列の異なる番号付けをＨＬＲで定義することによって、それぞれのサイトで複製される同一電話呼データベース（１４）を共用する２つの電話呼管理および格納ノードを使用することを特徴とする方法。
【請求項６】
到達不能な無線移動電話機に向けられた電話呼を処理するための請求項４に記載の方法において、１０組全ての番号付けに対し、各番号が、サービスが稼働されるようになる被呼利用者のＭＳＩＳＤＮの最後の番号を最初の予め定められた固定番号付けの終わりに追加することによって形成されることを前提として、被呼加入者のリダイレクトの１０組の異なる番号付けのＨＬＲにおける定義に基づいて、それぞれのサイトで繰り返される電話呼の同一データベース（１４）を共用するのに適した１０個の格納および管理ノードを利用することを特徴とする方法。
【請求項７】
到達不能な無線移動電話機に向けられた電話呼を処理し、かつそれらに関するデータを処理するための請求項１に記載の方法において、次のステップすなわち
Ｉ−電話呼に関するシグナリング構成要素のみを獲得し、シグナリングＩＡＭメッセージから発呼番号を抽出し、電話呼の時／日付を記録し、データを送信するＭＳＣ／ＶＬＲに関して適切な配信メッセージを送って、電話呼の中断および音声チャネルの解除を得るために同ＭＳＣ／ＶＬＲが礼儀メッセージを発呼加入者に送信することができるようにするステップと、
ＩＩ−前記発呼番号がすでにその特定の加入者と通信しようとした番号のリストに含まれるかどうかを検査し、この検査の結果に基づいて次のステップを実行するステップと、
ａ）この番号がその受信人に対する発呼番号のリストにすでにあるならば、この加入者番号によって実行された最後の電話呼の時／日付を進行しているステップ中に記録された時／日付と置き換えるステップと、
ｂ）他方、この番号がその加入者に対する発呼電話番号のリストに無ければ、この番号を最後の電話呼の時／日付の指摘と共にリストの最後に追加するステップと、
ＩＩＩ−前記電話呼が、前記加入者が到達不能であった期間中に彼に向けられた初めての電話呼に該当する場合、アドレスが再び到達可能になった直後に通知を受け取るようにＨＬＲに要求を行うステップと、
ＩＶ−電話呼加入者が再び到達可能になったときに、ＨＬＲから電話呼の格納および管理のための前記装置（９）にこの事実を通知するステップと、
Ｖ−ひとたび通知を受け取ると、宛先移動電話機に送信しなければならずかつ登録された電話呼に関するデータを含むテキストメッセージが、電話呼の格納および管理のための前記装置（９）によって編集されるステップと、
ＶＩ−前に編集されたメッセージが、ＵＣＰプロトコルを利用して、被呼移動電話機の加入者番号を受信人として指定することによって、電話呼の格納および管理のための前記装置から短メッセージサービスセンタ（１１）へ送信されるステップと、
ＶＩＩ−前記宛先移動電話機が再び到達可能になったときに、前記短メッセージの宛先移動電話機への送信が前記短メッセージサービスセンタによって実行されるステップと、をこの順番で実行する、電話呼の格納および管理のための装置（９）を利用することを特徴とする方法。
【請求項８】
移動電話機がデタッチモードのとき、または無線周波数信号が前記移動電話機に到達できないときに、前記移動電話機に向けられた電話呼に関するデータの格納および管理のための装置において、
−ＩＳＵＰプロトコルの管理を通して、ＧＳＭ網の交換ノードと協働するのに適しており、かつ到達不能な移動電話機に向けられた電話呼または無線周波数信号が不在時の電話呼に対して、ＩＳＵＰ  ＩＡＭメッセージから発呼番号を抽出するのに適している手段と、
−無線周波数信号によって到達不能である全ての移動電話機に向けられた電話呼に関するデータを格納し処理するための手段と、
−無線周波数信号によって到達可能なエリア内の移動電話機の戻りの通知要求を実行するために、ＭＡＰプロトコルの管理を通してＨＬＲと協働するのに適している手段と、
−無線周波数信号によって到達可能なエリア内に戻った移動電話機にＳＭＳテキストメッセージを送信するために、ＵＣＰプロトコルの管理を通してＧＳＭ交換網のＳＭＳ−Ｃと協働するのに適している手段と、を備えていることを特徴とする装置。
【請求項９】
請求項８に記載のデータの格納および管理のための装置を利用して、到達不能な無線移動電話機に向けられた電話呼を処理し、かつそれらに関するデータを処理するための方法において、次の動作ステップすなわち
Ｉ−到達不能な移動電話機に最初に向けられた電話呼を、加入者が料金を支払うことなく、電話呼の格納および管理のための前記装置（９）に経路指定するステップであって、呼迂回が活動しておらず、かつ移動電話機が国外に出ていない場合に、前記経路指定が実行されるようにしたステップと、
ＩＩ−前記到達不能な移動電話機に向けられた前記電話呼に関連する発呼加入者番号をＩＡＭシグナリングメッセージから抽出するステップであって、前記抽出が前記電話呼格納および管理装置によって実行されるステップと、
ＩＩＩ−無線周波数信号によって到達可能なエリア内における一時的に到達不能な移動電話機の戻りを通知するステップであって、前記通知がＨＬＲから前記電話呼格納および管理装置に対して実行されるステップと、
ＩＶ−失敗に終わった電話呼のデータを含む１つまたはそれ以上のＳＭＳを送信するステップであって、この送信が前記電話呼格納および管理装置（９）によって再び到達可能に成った移動電話呼に対して行われるようにしたステップと、を含むことを特徴とする方法。
【発明の詳細な説明】
【０００１】
【発明の技術分野】
本発明は一般的に、セルラ無線移動網の加入者との通信を確立する問題に関連し、さらに詳しくは、無線シグナリングの不在のため、または移動電話機がデタッチモードであるため到達不能であるときに加入者に電話しようとした相手加入者の電話番号を加入者が獲得することを可能にする、セルラ無線移動網を介する電気通信サービスに関する。本発明は、このサービスを実現するための方法、およびそれを提供するときに使用される特殊装置の機能の両方に関係する。
【０００２】
【背景技術】
最近の推定では、現在イタリアにおける公衆無線移動体事業に関係しているあらゆる電話網事業者に、「目標」移動電話機が到達不能であるか、またはデタッチモードであるために不成功に終わる電話呼が毎日数千万件あることが示唆されている。
【０００３】
換言すれば、電話応答システム（応答サービス）および呼迂回サービスの使用の増加にもかかわらず、それでもなお、幾つかの特殊な状態で毎秒４００件の呼が失敗し、それにより出トラヒックの程度が制限され、あるいはいずれにせよ、限定された、もしくは部分的に完全なサービスを加入者に提供することが生じる。
【０００４】
この種の問題に取り組むときに網管理者が見出す基本的な難しさは、かなりのトラヒックを処理することである。
【０００５】
実際、不成功に終わる多数の呼によるそのような際立った量のデータを同時に記録し管理する問題、このサービスの地理的負荷の一貫性のある評価によって生じる難しさ、起こり得る網障害の管理等は、今までこの問題の解決策が考慮されず、実行に移されることもなかったという状況を導いた。
【０００６】
次のような多くの理由が通信を確立することを不可能にする原因になり得るので、この問題に単純な解決策は適さない。
−無線移動電話機がデタッチモードであり、網がこの事実（デタッチ）を確認する信号を獲得した。
−バッテリが放電したかその作動位置から切り離されているか、あるいはＳＩＭカードがオフになっている。
−無線チャネルが偶然性に大きく依存していることはよく知られているので、トランシーバ局が到達不能または不可視である状態が存在することがある。
【０００７】
最後に、いずれの場合も、応答システムまたはさらなる電話番号への呼迂回サービスを可能にする見込みを検証することが必要である。
【０００８】
他方、被呼加入者に到達することをできなくするこれらの状態は、今まで、無線移動サービスの利用者によって、本質的に予見可能であるが全く避けられないものとして受け入れられてきた。換言すれば、瞬間的に到達不能またはデタッチモードになり得る移動電話機の作動原理の内在的な性質のため、固定網に比較して、セルラ電話網は必然的にこの欠点を導くことが明白であるので、接続を確立できないことに関するこの問題は提起されてこなかった。
【０００９】
本発明の目的は、「到達不能な移動電話機」の問題によって生じる通信障壁による欠点を除去することによって、サービスの改善を可能にする、無線移動電話機に向けられた電話呼を管理するための処理手順を提供することである。
【００１０】
本発明のさらなる目的は、網事業者によって利用者に提供される無料基本サービスの数を増加することである。
【００１１】
本発明の最後の目的は、到達不能な無線移動電話機への呼を処理し、かつ関連獲得情報を処理するための方法であって、容易な保守を可能にし、かつ該方法の実現のコストを低減するために、セルラ無線移動電話機の分野における標準的なプロトコル、技術、および構成要素を使用する方法を提供することである。
【００１２】
【発明の開示】
説明から明らかになるこれらおよびさらなる目的は、到達不能な無線移動電話機に向けられた電話呼を処理し、かつ発呼加入者に関連付けられる情報（電話番号、電話呼の時刻、および何らかの追加情報など）を処理するための方法によって達成される。該方法は、音声呼などの事象によって開始（トリガ）され、それは次に記録可能なＳＭＳテキストチャネルを通して通知を生じさせ、次の２つの別個の基本的ステップ、すなわち
Ｉ）加入者の移動電話機がデタッチモードであるため、または無線周波数信号の不在のために、被呼加入者が到達不能であるとき、かつ同時に応答サービスまたは別の電話番号への呼迂回サービスが作動しないときに、電話呼に関するデータ（情報）の格納および管理のための装置に電話呼を経路指定するステップ、および
ＩＩ）移動電話機が再び到達可能になった瞬間に、加入者が到達不能であった期間中に失敗に終わった呼に関するデータを含む全てのＳＭＳテキストを被呼加入者に送信すなわち通知するステップ、を含み、該方法は、移動電話網の呼を実行するための通常のステップシーケンスが最初に開始され、その後信号処理および加入者識別の獲得後ただちに中断され、セルラ無線移動電話機が再び到達可能であることが確認された時点でこのステップシーケンスが再開されるが、今回はＳＭＳテキストチャネルを起動させて、音声通信プロトコルに典型的な実際の逐次作動ステップシーケンス（トランザクション）を完全に排除し、それによって事実上、仮想性を有するトラヒックを生成するように構成されたプロトコルに基づく。
【００１３】
ここで開示する方法は、いずれにしても完全な逐次作動発呼および応答ステップシーケンス（トランザクション）、ならびにしたがってチャネルが接続されている時間に応じた利用者の費用を含む、公知の応答サービスへの電話呼迂回とは基本的に異なる。該サービスはＴＡＣＳ、ＧＳＭ、またはＧＰＲＳ技術を使用して実現され、またＵＭＴＳ技術を利用することによっても実現することができる。
【００１４】
利用者に関する限り、本サービスは次のステップに従って働く。
−利用者が到達不能（セルラ移動電話機がデタッチモードまたは無線周波数信号が不在）である間に被呼されると、発呼利用者は、被呼利用者が到達不能である事実に関して彼に通知する音声メッセージを受け取る（本サービスは自動であり、いかなる種類の制御選択も発呼利用者によって実行されない）。
−被呼利用者が再び到達可能になった直後に、彼は、彼が到達不能であった時間中に失敗に終わった全ての電話呼の指摘を含むＳＭＳ通知を受け取る。この通知はＳＭＳテキストによってＧＳＭ無線移動電話機の所有者、およびＳＭＳテキストメッセージを送受信するように適応されたＴＡＣＳ無線移動電話機の所有者に送信されるが、セルラ無線電話機がＳＭＳテキストを処理するように適応されていないＴＡＣＳ利用者の場合、通知は音声ＳＭＳの形で送信される。発呼加入者の電話番号、電話呼の時刻、および発呼加入者および／または被呼加入者に関する何らかの他の関連情報が同時に送信される。利用者（同一電話番号を持つ）が数回被呼された場合、最新の電話呼に関する指摘だけが提供される。さらに、失敗に終わった電話呼の番号が単一ＳＭＳにおける利用可能な空間を超える場合、さらなるＳＭＳが送信される。失敗に終わった電話呼に関する情報は、予め定められた最長時間の間だけ格納しておくことができる。
【００１５】
該サービスは、次の状況では起動されない。
−応答システムに向かって、または異なる電話番号に向かって、呼迂回サービスがすでに活動中である。
−発呼利用者の電話番号が入手できないか、または提示されない（例えば、外国からの電話呼、または隠蔽番号の場合等）。
−被呼利用者が外国でローミングしている。
【００１６】
次に、添付の図面に示す本発明の好適な実施形態について、その一般性および可能な用途を制限することなく、単なる説明のために以下で記述する。
【００１７】
【発明を実施するための最良の形態】
詳細な説明を始める前に、本発明が関連する技術分野で実際に使用される記号および略語のリストを予備的に紹介することは有用である。
１．デタッチ（ＤＥＴＡＣＨ）：  利用者が「オフ」キーを押すことによって、自分の無線移動セルラ電話機をオフにしていること。
２．ＨＬＲ：  ホームロケーションレジスタ：  登録されたセルラ電話機に関するデータを含むデータベース。
３．ＩＭＳＩ：  ＳＩＭカードの無線移動アイデンティティ。
４．ＩＰ：  インターネットプロトコルで定義されたネットワークアドレス。
５．ＩＡＭ  初期アドレスメッセージ：  発呼／被呼者に関する情報を含むシグナリングメッセージ。
６．ＩＳＵＰ  ＩＳＤＮユーザ部：  ＧＳＭネットワークシグナリング。
７．ＭＡＰ  移動通信応用部：  （ＭＡＰ  ＧＳＭが暗示される場合に）利用者の移動性を管理するためにＧＳＭネットワークのノードによって使用されるプロトコルを示す。
８．ＭＳＣ  移動交換局：  移動電話用の交換局。
９．ＭＳＩＳＤＮ  移動局サービス統合ディジタル網：  移動電話機の番号を示す（例：０３３８  ４５１８４５）。
１０．ページング：呼が到着したことを無線移動電話機に知らせるためにＭＳＣ／ＶＬＲから拡散される無線信号。
１１．ＰＬＭＮ：公衆陸上移動網
１２．ＰＳＴＮ：公衆交換電話網
１３．ローミング：ＧＳＭ移動電話機が、移動電話機のＧＳＭカードを発行した網とは異なる網に接続された状態を示す。
１４．ＳＭＳ−Ｃ：短いメッセージ用のサービスセンタ。
１５．ＳＴＰ  信号転送プロトコル：  中間ノードを通して信号メッセージをその宛先に転送することを可能にする信号電話網の機能を示す。
１６．ＴＧＤＳ  ＴＡＣＳ／ＧＳＭ  ゲートウェイ配信システム：  ワイヤレスメッセージシステム作動手順の統合のために実現される多機能ハードウェアおよびソフトウェアプラットフォーム。
１７．ＵＣＰ  汎用コンピュータプロトコル：  サービスセンタＳＭＳ−Ｃへのデータ伝送に使用されるプロトコル。
１８．ＶＬＲ  ビジタロケーションレジスタ：  移動電話機の実際の位置に関する情報を含むデータベース。
【００１８】
次に、図１を参照すると、この図は、このサービスを提供するために使用されるアーキテクチャを概略的に示し、破線は標準プロトコルスタックの機能を示す。他方、図２および３は、このサービスを実行するために使用されるそれぞれの作動方法を示し、それは次のステップを含む。
Ｉ）発呼加入者１’、１’’は宛先または「目標」番号をダイヤルし（ステップ３０）、電話呼が固定回線１’から行われる場合にはＰＳＴＮ電話網４に、電話呼が移動電話機１’’から行われる場合には電話網ＰＬＭＮ５に、彼自身を相互接続することによって、彼の電話呼を実行する。
ＩＩ）発信交換局ＭＳＣ２は、３１で、ＳＴＰ１０によってローミング宛先番号を尋ねることにより、加入者レジスタ３（以下、ＨＬＲ）に問合せを行う。
ＩＩＩ）ＨＬＲ３は、３２で（ＶＬＲ番号に基づいて）、移動電話機が外国でローミングしているかどうかを検査する（このステップがＧＳＭ網の場合にだけ有効である）。
−答えが「はい」である場合、電話呼はＧＳＭ網で定められた通常の手順３３に従って処理される。
−答えが「いいえ」である場合、手順は以下で述べるステップに続く。
ＩＶ）ＨＬＲ３は、宛先移動電話機がデタッチモードであるかどうかを検査する（３４）。
ＩＶｉ）答えが「いいえ」である場合、宛先番号が登録されている局ＭＳＣ／ＶＬＲ（発信局）のローミング番号が発信交換局ＭＳＣ２に送信され（３５）、該方法は、移動電話機が到達可能であるかどうかの検査に関係するステップＶおよびその後のステップで後述する通りに続く。
ＩＶｉｉ）答えが「はい」である場合、３６で、宛先番号がそれ自体の応答サービスまたは別の電話番号への呼迂回サービスを使用可能にしているかどうかを検査する。
−答えが「はい」である場合、活動状態の呼迂回の行先の番号が発信交換局２（ＭＳＣ）に返され（３７で）、該方法はステップＩＩに戻ることによって進む。
−答えが「いいえ」である場合、電話呼の格納および管理（以下「ページング管理」とも言う）のための装置（９）の番号が（３８で）発信交換機（ＭＳＣ）２に返され、次いで該方法はステップＶＩで記述する通りに進む。
Ｖ）移動電話機のデタッチモードの予備検査が否定的結果を導いた場合、宛先（「目標」）電話機が到達可能であるかどうかを確定するために、宛先局はさらなるテスト４０を実行する。
−答えが「はい」である場合、無線移動電話システムで規定された一般的手順に従って、電話呼の通常の手順が３３で開始される。
−他方、移動電話機が到達不能である場合、ページング管理のための装置９の番号への接続が３８で確立され、該方法は次のステップに従って進む。
ＶＩ）移動電話機がオフになっているかまたは到達不能であり、かつ呼迂回が使用可能である場合、発呼利用者は通知を受け取り、電話呼はページング管理のための装置９に経路指定される。信頼度を高めるために、設計は、ページング管理の２つのノードを使用するように実現される。両ノードは電話呼の同一データベース１４を共用し、それはそれぞれのサイトで複製される。２つのデータベースの正しい同期化および管理を管理するため、かつ同一レコードのアクセス競合（移動電話機をオフにしているかまたは無線周波数信号が到達不能である同じ人に、２人の利用者が同時に発呼したときに発生する）を回避するために、ページング管理装置への呼転送用に２系列の異なる番号付けをＨＬＲ３に定義することにした（これらの系列は「呼転送番号ＭＳＩＳＤＮページング １」および「呼転送番号ＭＳＩＳＤＮページング ２」と呼ばれる）。番号付けの総数は１０であり（他のページング管理プラットフォームを将来導入する可能性を見越して余裕をもたせるため）、それらは、番号付けの終わりに、サービスが稼働されるようになる被呼利用者のＭＳＩＳＤＮの最後の番号「４７０００」を加えることによって形成される。この趣旨で、到達不能な移動電話機への電話呼に関する情報を格納し管理するための装置であるページング管理装置９は、プロトコルＩＳＵＰの管理を通してＧＳＭ網の交換ノードと協働する能力、および到達不能な移動電話機に向けられた電話呼または無線周波数信号が不在の場合の電話呼のためのＩＳＵＰ  ＩＡＭメッセージから発呼番号を抽出する能力に関連する多数の特定の機能要件を満たす。さらに、無線周波数信号の不在のために到達不能である各移動電話機に向けられた電話呼に関係する全ての情報を専用データベース１４に格納する能力も提供される。
【００１９】
さらに、ページング管理装置９は、無線周波数信号が到達可能なエリア内で、瞬間的に到達不能な移動電話機の戻り（ｒｅｔｕｒｎ）に対して切替え要求ができるように、ＭＡＰプロトコルの管理を通してＨＬＲと協働するのに適している。最後に、無線周波数信号が活動しているエリア内に戻った移動電話機に向けてテキストメッセージを送信するために、ＵＣＰプロトコルの管理を通して、それ自体をＧＳＭ交換局のＳＭＳサービスセンタ１１とインタフェースすることも可能である。
【００２０】
他方、本発明に係る特定の機能の手順の実現の態様において、ページング管理装置９は次の動作を連続的に実行する。
Ｉ−それは５０で電話呼のシグナリング構成要素だけを受け取り、ＩＳＵＰシグナリングのＩＡＭメッセージから発呼加入者の番号を抽出し、電話呼の時／日付を（１秒の精度で）記録し、次いでデータを送信しているＭＳＣ／ＶＲＬに関して適切な配信メッセージを（５１で）送出する。これにより、ＭＳＣ／ＶＬＲは発呼利用者に礼儀メッセージを多分を送り（５２で）、音声チャネルを解除するように電話呼を配信することが可能になる。
ＩＩ−発呼電話番号がすでにこの特定の加入者に到達しようとした番号のリストにすでにあるかどうかを決定するために、５３で検査を起動し、この検査の結果に応じて次の動作を実行する。
−この番号がその加入者に対する発呼電話番号のリストにすでにあるならば、この利用者番号によって実行された最後の電話呼の時／日付を（５４で）、進行しているステップ中に記録された時／日付と置き換える。
−他方、この番号がその加入者に対する発呼電話番号のリストに無ければ、この番号を最後の電話呼の時／日付の指摘と共にリストに追加する（５５で）。
ＩＩＩ−テスト５６から、電話呼が、被呼加入者に到達できなかった期間中に彼に向けられた初めての電話呼に該当するということになった場合、「目標利用者」すなわち加入者が再び到達可能になった直後に通知を受け取るように、（５７で）ＨＬＲ３に（ＭＡＰ  ＳＥＴ  ＭＥＳＳＡＧＥ  ＷＡＩＴＩＮＧ  ＤＡＴＡを通して）要求が行われる。
【００２１】
電話呼のアドレスが再び到達可能になったときに、ＨＬＲ３はこの事実をページング管理装置９に伝達する。本発明の好適な実施形態では、ひとたび通知を受け取ると、ページング管理装置は目標移動電話機に関連付けられる番号リストを４つずつの要素のグループに分割し、前記グループの各々に対し、このグループに含まれる電話呼に関する情報を含む、利用者に送信すべきテキストメッセージを定義する。
【００２２】
ページング管理装置は、ＵＣＰプロトコルを介して、宛先（すなわち目標）移動電話機の番号を受信人として示す、前記定義されたメッセージを短メッセージサービスセンタ１１に送信する。
【００２３】
最後に、ＳＭＳ−Ｃは宛先移動電話機が再び到達可能になったときに該メッセージをそれに送信する。
【００２４】
前記説明による網アーキテクチャを実現するシステムは、非常に高容量のトラヒック管理を提供するのに適している。それは、毎秒３５０件の電話呼および１日に最高１千万件の電話呼を管理することができる。
【００２５】
これらの性能は、複数のノードに対する網負荷の論理分割を通して、かつ部分的にすでに公知であり、電話の分野ですでに使用されているが、最終的に利用者に新しい無料サービスを提供することができるように必要な実現、延長、および変更が組み合わされた技術の使用を通して得られる。
【００２６】
このサービスはすでに（デフォルトで）使用可能状態であるが、利用者は音声メニューの新しい選択を発呼しダイヤルすることによってその不活化を要求することができる。その後、彼は同様の動作を実行することによって、このサービスの再活性化を要求することもできる。
【図面の簡単な説明】
【図１】
本発明の運用の方法を示す網アーキテクチャの略図である。
【図２】
本発明に係る方法の領域における基本的手順のブロック図である。
【図３】
本発明の方法に関するさらなる本質的手順を示すブロック図である。
【図１】
2004517536.tif 000003
【図２】
2004517536.tif 000004
【図３】
2004517536.tif 000005
【国際公開パンフレット】
2004517536.tif 000006
2004517536.tif 000007
2004517536.tif 000008
2004517536.tif 000009
2004517536.tif 000010
2004517536.tif 000011
2004517536.tif 000012
2004517536.tif 000013
2004517536.tif 000014
2004517536.tif 000015
2004517536.tif 000016
2004517536.tif 000017
2004517536.tif 000018
2004517536.tif 000019
2004517536.tif 000020
2004517536.tif 000021
2004517536.tif 000022
2004517536.tif 000023
2004517536.tif 000024
2004517536.tif 000025
2004517536.tif 000026
2004517536.tif 000027
【国際公開パンフレット（コレクトバージョン）】
2004517536.tif 000028
2004517536.tif 000029
【国際調査報告】
2004517536.tif 000030
2004517536.tif 000031